(57)【要約】      （修正有）【課題】簡易な連結構造を有する柄部材から構成され、複数の柄部材を端部同士で連結することにより、容易に一体化できる掃除具用柄、及び該掃除具用柄を備えた掃除具セットを提供する。【解決手段】一方の筒状パイプ１１の内挿端部２０を他の筒状パイプ１２の外挿端部３０に内挿して連結する掃除具用柄であって、上記内挿端部２０及び外挿端部３０にそれぞれ突起係合穴２１、３１を形成し、前記内挿端部２０を他の筒状パイプの外挿端部３０に挿入した際に、前記内挿端部２０の突起係合穴２１からバネ片４０により不勢されて突出する係合突起４１が、前記外挿端部３０の突起係合穴３１に係合することにより、複数の筒状パイプ１１を連結する。また、掃除具セットは、上記掃除具用柄と、把持部及びモップヘッドから構成し、前記掃除具用柄の下端及び上端に、それぞれ把持部とモップヘッドを着脱自在に連結する。【選択図】図３
2006314363.tif 000002
【特許請求の範囲】
【請求項１】
内挿端部又は外挿端部の少なくともいずれかが設けられた筒状パイプから構成され、一方の筒状パイプの内挿端部を他の筒状パイプの外挿端部に内挿して連結する掃除具用柄であって、
上記の内挿端部及び外挿端部はそれぞれ突起係合穴が形成され、内挿端部は該突起係合穴から突出する係合突起を有するバネ片が内設されており、
前記係合突起は、挿入側の面が挿入方向に低く傾斜し、且つ該挿入側と反対側の面が略垂直状に形成され、
前記内挿端部を他の筒状パイプの外挿端部に挿入した際に、前記内挿端部の突起係合穴から突出する係合突起が、前記外挿端部の突起係合穴に係合することにより、複数の筒状パイプを連結する構造を有することを特徴とする、掃除具用柄。
【請求項２】
請求項１に記載の掃除具用柄と、把持部及びモップヘッドから成る掃除具において、前記掃除具用柄の下端及び上端に、それぞれ把持部とモップヘッドが着脱自在に連結されることを特徴とする、掃除具セット。
【発明の詳細な説明】
【技術分野】
【０００１】
本発明は、床面や壁面等を掃除するモップ等の掃除具に用いられる掃除具用柄、及びこの掃除具用柄に把持部及びモップヘッドを組み立てて用いる掃除具のセットに関する。
【背景技術】
【０００２】
床や畳などの雑巾がけ、あるいは窓ガラスなどの掃除には、モップ等の柄部材の長い掃除具が使用されている。このような柄部材の長い掃除具は、輸送の際に不便である。また、不使用時には、保管のために長尺な保管場所が必要になるので、このような掃除具は、室内スペースの有効な活用を妨げる不都合がある。
【０００３】
特開２００４−５７５７５には、モップ本体に対する柄部材の着脱が容易なモップが開示されており、この発明によれば、輸送時等における包装が嵩ばらず、柄部材に対してモップ本体を横向き、或いは縦向きに装着できることが示されている。
【０００４】
上記のモップは、モップ本体と柄部材との着脱を容易とし、分離して収納したり、輸送できるものであるが、比較的長い柄部材の長さを適宜調整したり、コンパクトにまとめる機能を有しておらず、省スペース化が十分に図られていない。
【０００５】
【特許文献１】特開２００４−５７５７５
【発明の開示】
【発明が解決しようとする課題】
【０００６】
本発明は、簡易な連結構造を有する柄部材から構成され、複数の柄部材を端部同士で連結することにより、容易に一体化できる掃除具用柄を提供することを目的とする。更に、本発明の他の目的は、このような掃除具用柄と、把持部及びモップヘッドから成る掃除具セットを提供することにある。
【課題を解決するための手段】
【０００７】
上記課題を解決するため、本発明の掃除具用柄は、内挿端部又は外挿端部の少なくともいずれかが設けられた筒状パイプから構成され、一方の筒状パイプの内挿端部を他の筒状パイプの外挿端部に内挿して連結されるものであって、上記の内挿端部及び外挿端部はそれぞれ突起係合穴が形成され、内挿端部は該突起係合穴から突出する係合突起を有するバネ片が内設されており、前記係合突起は、挿入側の面が挿入方向に低く傾斜し、且つ該挿入側と反対側の面が略垂直状に形成され、前記内挿端部を他の筒状パイプの外挿端部に挿入した際に、前記内挿端部の突起係合穴から突出する係合突起が、前記外挿端部の突起係合穴に係合することにより、複数の筒状パイプを連結する構造を有することを特徴としている。
【０００８】
また、本発明の掃除具セットは、上記本発明の掃除具用柄と、把持部及びモップヘッドから構成され、前記掃除具用柄の下端及び上端に、それぞれ把持部とモップヘッドが着脱自在に連結されることを特徴としている。
【発明の効果】
【０００９】
本発明の掃除具用柄は複数の筒状パイプから構成されるので、長さを適宜調整することができる。また、その連結構造は簡易であり、係合突起は、挿入側の面が挿入方向に低く傾斜するように形成されているので、容易に連結一体化することができる。また、上記係合突起は、挿入側と反対側の面が略垂直状に形成されているので、筒状パイプ同士は端部でしっかりと結合され、使用中に分離することは無い。
【００１０】
本発明の掃除具セットにおいては、把持部とモップヘッドが着脱自在に連結される構造であるので、所望に応じてモップヘッド及び把持部を種々の形態のもの、或いは家具や窓やフローリング床等の清掃箇所に応じて、好適な機能を有するものに交換することができる。
【発明を実施するための最良の形態】
【００１１】
本発明の好ましい実施の形態について、図面を参照しながら以下に説明する。本実施形態の掃除具用柄１０は、図１に示すように、筒状パイプ１１、１２を連結一体化して構成されている。筒状パイプ１１、１２の内挿端部２０は、その外径が外挿端部３０の内径以下に形成されており（図３（ａ）〜（ｃ）参照）、一方の筒状パイプ１１の内挿端部２０を他方の筒状パイプ１２の外挿端部３０に内挿することにより、筒状パイプ１１と１２とが連結一体化される。
【００１２】
上記の内挿端部２０及び外挿端部３０には、その周面に突起係合穴２１、３１がそれぞれ形成されている。これらの突起係合穴２１、３１は、外挿端部３０の開口端３２を内挿端部２０の縮径部２３に当接させた状態で合致できる箇所に開口形成されている（図３（ｃ）参照）。
【００１３】
内挿端部２０の内側には、係合突起４１を有する略Ｕ字状のバネ片４０が、突起係合穴２１から前記係合突起４１を突出させた状態で内設されている（図３（ａ）参照）。この係合突起４１は略台形の断面形状を有しており、筒状パイプ１１の挿入側の面４１ａが、挿入方向、すなわち、内挿端部２０の開口端２２側へ低く傾斜するように形成されている（図２及び図３（ａ）参照）。そのため、筒状パイプ１１の内挿端部２０を筒状パイプ１２の外挿端部３０に挿入する際、外挿端部３０の開口端３２で上記係合突起４１が弾性的に押し込まれて（図３（ｂ）参照）、上記内挿端部２０が上記外挿端部３０にスムーズに挿入される。このようにして、係合突起４１が筒状パイプ１２の突起係合穴３１に係合され、筒状パイプ１１、１２を容易に連結することができる（図３（ｃ）参照）。
【００１４】
また、係合突起４１の係合側の面、すなわち、面４１ａに対して反対側の面４１ｂは、略垂直状に形成され、係合突起４１は、バネ片４０の弾性力により外径方向へ付勢されているので、筒状パイプ１１、１２間に引張力が作用しても分離されない。尚、突起係合穴２１、３１及び係合突起４１は、ほぼ同じ大きさに形成すれば遊びの部分がなくなるので、連結部１３のガタツキを防止することができる。
【００１５】
筒状パイプ１１、１２は、アルミニウム合金等の金属製或いは合成樹脂製のパイプ部材であり、外挿端部３０及び内挿端部２０の部分を金属製とし、中空部１４を合成樹脂で構成することもできる。尚、長さ、外径及び肉厚は特に限定されないが、長さは２００ｍｍ〜５００ｍｍ、外径は１０ｍｍ〜３０ｍｍ、肉厚は０．３ｍｍ〜２．０ｍｍの範囲であることが好ましい。
【００１６】
バネ片４０は鉄合金等の金属製であり、係合突起４１が一体的に形成されている。該係合突起４１は親指で楽に押し込める程度の高さに形成され、筒状パイプ１１、１２を連結させた際に、筒状パイプ１２側の外挿端部３０の上面から３ｍｍ〜５ｍｍ程度突出する高さを有するのが好ましい。このような構成により、係合突起４１を押し込みつつ筒状パイプ１１、１２を軽く引っ張ると、掃除具用柄１０は筒状パイプ１１、１２に分離される。
【００１７】
尚、本発明の掃除具用柄は、上記実施形態に限定されることなく種々の変更が可能である。例えば、筒状パイプ１１、１２は、内挿端部２０、外挿端部３０及び中空部１４により構成されるが、これらの断面形状を円形に限定する必要はなく、中空部１４の断面形状を円形とし、内挿端部及び外挿端部の断面形状を正六角形等の正多角形状に形成することもできる。また、バネ片４０の係合突起４１は、その断面形状を略台形状に限定されるものではなく、上記したように、面４１ａが開口端２２側へ低く傾斜するように形成され、且つ面４１ｂが略垂直状に形成されるのであれば、前記係合突起４１の断面形状を他の形状、例えば略三角形状に成形することができる。
【００１８】
図４はバネ片４０の他の実施形態を示す分解斜視図であって、該バネ片４０は、切欠部４２が形成され、該切欠部４２が広がる方向、すなわち拡径方向への付勢力を有する。上記バネ片４０は、筒状パイプ１１の内側へ基底部を向けた錐体状の係合突起４１が設けられており、図３（ａ）に示すバネ片と同様に、突起係合穴２１から係合突起４１を突出させた状態で筒状パイプ１１に内設される。
【００１９】
図５は、本発明の掃除具セット１の分解斜視図である。掃除具セット１は、本発明の掃除具用柄を構成する筒状パイプ１１、１５、１６と、把持部Ａ及びモップヘッドＢから構成される。筒状パイプ１５は、本発明の掃除具用柄を構成する筒状パイプの他の実施形態であり、その一端にはモップヘッドＢに連結するためのねじ部２４が形成され、他端には、筒状パイプ１１と連結するための外挿端部３０が形成されている。筒状パイプ１６も、本発明の掃除具用柄を構成する筒状パイプの他の実施形態であり、その両端に内挿端部２０が設けられている。このような構成により、筒状パイプ１６は、筒状パイプ１１及び把持部Ａに連結することができる。モップヘッドＢには、その上面のほぼ中央に連結部材ｂ１が設けられ、該連結部材ｂ１には、筒状パイプ１５の端部のねじ部２４に螺合可能なねじ孔ｂ２が形成されている。前記筒状パイプ１５のねじ部２４を連結部材ｂ１のねじ孔ｂ２にねじ込むことにより、筒状パイプ１１、１５、１６から成る掃除具用柄を連結部材ｂ１に連結することができる。そして、筒状パイプ１６の内挿端部２０を把持部Ａの外挿端部３０に挿入すれば、掃除具セット１の組立が完了し、掃除具が完成する。
【００２０】
尚、モップヘッドＢとして、用途に応じて種々の形状のものを採用することができ、拭掃部材ｂ３についても各種の用途に応じて、モップ、不織布等の各種の布製品を適用することができる。
【図面の簡単な説明】
【００２１】
【図１】筒状パイプ１１、１２を連結一体化して構成された本発明の一実施形態に係る掃除具用柄１０を示す斜視図である。
【図２】図１に示された掃除具用柄１０の連結構造を説明する分解斜視図である。
【図３】（ａ）〜（ｃ）は、図１に示された筒状パイプ１１、１２が連結され、掃除具用柄１０が構成される構造を説明する断面図である。
【図４】他の実施形態のバネ片４０が使用された掃除具用柄１０の連結構造を示す分解斜視図である。
【図５】本発明の掃除具セット１の分解斜視図である。
【符号の説明】
【００２２】
１    掃除具セット
１０    掃除具用柄
１１    筒状パイプ
１２    筒状パイプ
１３    連結部
１４    中空部
１５    筒状パイプ
１６    筒状パイプ
２０    内挿端部
２１    突起係合穴
３０    外挿端部
３１    突起係合穴
４０    バネ片
４１    係合突起
Ａ    把持部
Ｂ    モップヘッド
【図１】
2006314363.tif 000003
【図２】
2006314363.tif 000004
【図３】
2006314363.tif 000005
【図４】
2006314363.tif 000006
【図５】
2006314363.tif 000007